【手続補正書】
【提出日】令和2年5月11日(2020.5.11)
【手続補正１】
【補正対象書類名】特許請求の範囲
【補正対象項目名】全文
【補正方法】変更
【補正の内容】
【特許請求の範囲】
【請求項１】
第一コネクタ要素を含む取っ手組立体；ならびに
近位端および遠位端と、前記近位端と前記遠位端との間で延びるカテーテル軸ルーメンとを有するカテーテル軸と、
前記取っ手組立体の前記第一コネクタ要素に選択的に接続される前記カテーテル軸の前記近位端にあるコネクタであって、コネクタ本体と第二コネクタ要素とを含む前記コネクタと、
前記カテーテル軸の前記遠位端に装着される拡張可能および折り畳み可能バルーンであって、前記バルーンが、バルーン内部を規定する内面を有する、前記拡張可能および折り畳み可能バルーンと、
前記カテーテル軸に対して軸線方向に回転移動するために前記カテーテル軸内に収容される送出管であって、前記送出管が、前記第二コネクタ要素に接続される近位端を有する、前記送出管、および
前記バルーン内にあり、流動的に前記送出管に連結される拡散体、
を含む極低温切除カテーテル、を含む切除組立体であって、
前記取っ手組立体が、
前記コネクタの受け入れのためのコネクタ収納部を含む取っ手組立体本体と、
前記取っ手組立体本体に装着され、前記第一コネクタ要素を規定する制御器コネクタであって、前記コネクタ本体が前記制御器コネクタに固定可能である、前記制御器コネクタと、
前記制御器コネクタに向かいかつ前記制御器コネクタから離れる軸線に沿った移動のために前記取っ手組立体本体に移動可能に装着されるトラベラであって、前記第二コネクタ要素が、前記トラベラに、それと共に軸線方向に移動するために固定可能である、前記トラベラと、
前記第二コネクタ要素において前記送出管に連結される冷媒流体源と、
前記軸線に沿って前記トラベラを移動させるために、操作可能な状態で前記トラベラに連結される直線駆動体と、
前記軸線の周りに、前記第二コネクタ要素と、それを有する前記送出管の前記近位端とを選択的に回転するために、操作可能な状態で前記第二コネクタ要素に連結される回転運動駆動体と、を含む、切除組立体。
【請求項２】
ユーザ制御組立体、前記ユーザ制御組立体に接続される制御器、及び冷媒制御器をさらに含み、
前記冷媒制御器が、前記トラベラに接続された遠位端を有する送出線に、前記冷媒流体源を選択的に連結し、
前記ユーザ制御組立体が、操作可能な状態で、前記冷媒制御器と前記直線駆動体と前記回転運動駆動体とに連結され、前記ユーザ制御組立体が、前記ユーザが前記冷媒制御器と前記直線駆動体と前記回転運動駆動体とを作動させることを可能にするユーザ入力を含み、
前記ユーザ制御組立体が、前記取っ手組立体から離間されており、線によって前記取っ手組立体に接続された足ペダル組立体を含み、前記足ペダル組立体が足作動式入力デバイスを含む、請求項１に記載の切除組立体。
【請求項３】
前記足ペダル組立体が、左移動足ペダルと、右移動足ペダルと、ユーザが前記直線駆動体または前記回転運動駆動体のいずれかを作動させるために左移動足ペダルおよび右移動足ペダルの操作モードを変更することができる移動モードボタンとを含む、請求項２に記載の切除組立体。
【請求項４】
前記極低温切除カテーテルが、前記カテーテル軸と前記送出管の間に排出ルーメンを含み、前記排出ルーメンが前記バルーン内部の中へ開口する遠位端を有し、
前記足ペダル組立体が、
ユーザが前記バルーンに冷媒を供給するために前記冷媒制御器を作動させることができる冷媒送出足ペダルと、
収縮ボタンと、を含み、
前記取っ手組立体が、前記ユーザが前記バルーン内部から選択的に気体を排出することを可能にするために、操作可能な状態で前記収縮ボタンに連結される排出ソレノイドを含む、請求項３に記載の切除組立体。
【請求項５】
前記トラベラが、第一放出位置と、第二ロード位置と、第三操作位置の範囲とにおいて、前記軸線に沿って位置決め可能であり、前記第一放出位置が前記制御器コネクタに最も近く、前記第二ロード位置が前記第一放出位置と前記第三操作位置との間にある切除組立体であって、
前記コネクタが前記コネクタ収納部に挿入され、かつ前記トラベラが前記第二ロード位置にある場合に前記コネクタ本体を前記制御器コネクタに、前記第二コネクタ要素を前記トラベラに自動的に固定するための手段と、
前記トラベラが前記第一放出位置にあり、前記取っ手組立体本体から前記コネクタを取り外すことが可能になる場合に前記制御器コネクタから前記コネクタ本体を、前記トラベラから前記第二コネクタ要素を自動的に解放するための手段と、をさらに含む、請求項１に記載の切除組立体。
【請求項６】
前記自動的固定手段が、前記コネクタが前記コネクタ収納部に挿入され、かつ前記トラベラが前記第二ロード位置にある場合に前記コネクタ本体を前記制御器コネクタに、前記第二コネクタ要素を前記トラベラに、同時に自動的に固定するための手段を含み、
前記自動的解放手段が、前記トラベラが前記第一放出位置へ移動した後、前記トラベラから前記第二コネクタ要素を解放して、前記取っ手組立体本体から前記コネクタを取り外すことが可能になる場合に前記制御器コネクタから前記コネクタ本体を自動的に解放するための手段を含む、請求項５に記載の切除組立体。
【請求項７】
前記冷媒流体源が、前記冷媒流体源が操作位置にある場合に冷媒制御器を介して冷媒が前記送出線まで通過することができる先端部を有する取り外し可能でかつ交換可能な冷媒カートリッジを含み、
前記取っ手組立体が、冷媒排出室と、前記取っ手組立体本体から前記冷媒カートリッジを取り外す間に前記冷媒カートリッジが前記操作位置から変位した場合に前記冷媒排出室の内部を前記冷媒カートリッジの前記先端部に隣接する領域に流動的に接続する経路と、を含み、
それによって、前記冷媒カートリッジからの残りの液体冷媒は、冷媒気体への変換のために前記冷媒排出室に流入することができ、前記冷媒排出室が出口ポートを有し、前記冷媒気体が前記冷媒排出室を出ることが可能になる、請求項１に記載の切除組立体。
【請求項８】
前記出口ポートが、前記取っ手組立体本体内に開口し、前記取っ手組立体本体が、周囲雰囲気内へ開口する複数の排出ポートを有する、請求項７に記載の切除組立体。
【請求項９】
前記トラベラが、前記軸線に沿った前記トラベラの移動のための少なくとも一つの軸受軸上に摺動可能に支持される、請求項１に記載の切除組立体。
【請求項１０】
前記トラベラが、第一放出位置、第二ロード位置、第三操作位置の範囲内において前記軸線に沿って位置決め可能であり、前記第一放出位置が前記制御器コネクタに最も近く、前記第二ロード位置が前記第一放出位置と前記第三操作位置との間にあり、さらに以下のものを含む切除組立体であって、
前記回転運動駆動体が、
非円筒形回転軸に駆動して接続される回転モータと、
前記トラベラと共に軸線方向に移動するためにトラベラに装着される駆動歯車であって、前記駆動歯車が前記回転軸にも摺動可能に装着され、それによって、前記回転軸の回転が前記駆動歯車を回転させ、一方で前記トラベラの軸線方向の移動が前記駆動歯車を前記回転軸に沿って摺動させる、前記駆動歯車と、
第二コネクタ要素上に形成され、前記トラベラが前記第二ロード位置または前記第三操作位置のいずれかにある場合に前記駆動歯車に回転可能に連結され、その結果、前記駆動歯車の回転によって前記第二コネクタ要素が回転する、歯車の歯と、を含み、
前記直線駆動体が、ねじ軸連結器によってねじ軸に接続された直線駆動モータを含み、前記ねじ軸が、前記ねじ軸の回転によって前記トラベラが軸線方向に移動するように螺合可能に前記トラベラに係合する、請求項１に記載の切除組立体。
【請求項１１】
前記コネクタが、前記極低温切除カテーテルに関する情報を含むＲＦＩＤデバイスを含み、
前記取っ手組立体が、前記ＲＦＩＤデバイスから情報を得るために用いられるＲＦＩＤリーダを含む、請求項１に記載の切除組立体。
【請求項１２】
前記コネクタが、前記送出管に固定されるプラグをさらに含み、前記プラグと、それを有する前記送出管とが、前記カテーテル軸に対して軸線方向に回転して移動可能であり、
前記切除組立体は、
前記コネクタ本体内に形成され、前記コネクタ本体に外接するコネクタ本体係止スロットと、
前記プラグ内に形成され、前記プラグに外接するプラグ係止スロットと、
前記取っ手組立体に装着され、前記コネクタがロード状態である場合に前記コネクタ本体係止スロットに係合するように位置決めされるコネクタ本体係止要素と、
前記取っ手組立体に装着され、前記コネクタが前記ロード状態である場合に同時に前記プラグ係止スロットに係合するように位置決めされ、それによって前記プラグおよび前記コネクタ本体が前記取っ手組立体に同時に自動的に接続されて、使用前のロード状態に前記コネクタが配置される、プラグ係止要素と、を含むコネクタ係止組立体をさらに含み、
コネクタ本体係止要素が、前記取っ手組立体に装着され、前記コネクタが排出状態で配置されている場合に前記プラグ係止スロットから解除されるように位置決めされ、プラグ係止要素が、前記取っ手組立体に装着され、前記コネクタが前記排出状態である場合に前記本体係止スロットから解除されるように位置決めされ、それによって、前記取っ手組立体から前記コネクタ本体が、その後前記プラグが自動的に解放されて、前記コネクタを前記取っ手組立体から取り外すことが可能になる、請求項１１に記載の切除組立体。
【請求項１３】
ユーザ制御組立体と制御器とをさらに含み、前記ユーザ制御組立体が、前記制御器を介して冷媒制御器と前記直線駆動体と前記回転運動駆動体とに操作可能な状態で連結される、請求項１に記載の切除組立体。
【請求項１４】
圧力送出ルーメンが、前記バルーン内部および前記コネクタ本体を流動的に連結する前記カテーテル軸に沿って延び、
前記制御器が、前記バルーン内の圧力を検出するために前記コネクタ本体を介して前記圧力送出ルーメンに操作可能な状態で連結された圧力変換器から受信された入力を用いるように構成される、請求項１３に記載の切除組立体。
【請求項１５】
前記制御器が、前記冷媒流体源の圧力および温度をモニタし、それによって前記冷媒の状態をモニタすることができるように構成される、請求項１３に記載の切除組立体。